(57)【特許請求の範囲】
【請求項１】
ポリビニルアルコールと、ホウ酸及びその塩、若しくはジグリセリルボレートから選ばれる少なくとも１種と、樹脂分散型顔料及び自己分散型顔料を少なくとも含むことを特徴とする筆記具用水性インク組成物。
【請求項２】
樹脂分散型顔料／自己分散型顔料の質量比が１／２〜５／１であることを特徴とする請求項１記載の筆記具用水性インク組成物。
【請求項３】
請求項１又は２に記載の筆記具用水性インク組成物を搭載したことを特徴とする筆記具。
【発明の詳細な説明】
【技術分野】
【０００１】
本発明は、トメ、ハネ、ハライが明瞭であり、筆記描線の欠損が生じない筆記具用水性インク組成物に関する。
【背景技術】
【０００２】
従来、トメ、ハネ、ハライが明瞭となる筆記具用水性インク組成物として、本出願人は、１）少なくとも水と着色剤を含有し、特定の剪断速度の少なくとも一部の領域でダイラント流体特性を有することを特徴とする水性ボールペン用インク組成物（例えば、特許文献１参照）、２）重合度５０〜２０００のポリビニルアルコールと、ホウ酸及びその塩の少なくとも１種とを含有し、インク粘度を一定の範囲とした水性ボールペン用インク組成物（例えば、特許文献２参照）を提案している。
【０００３】
これらのポリビニルアルコール系を含む水性ボールペン用インク組成物は、描線のにじみが少ないことが特徴であり、トメ、ハネ、ハライが明瞭となるものである。
しかしながら、これらのポリビニルアルコール系を含む水性ボールペン用は、ポリビニルアルコールと、ホウ酸等による凝集性を利用しているため、滲みやフェザリングが発生しにくい反面、描線の端部が平坦にはならず、部分的に欠けた状態になる場合がある。この現象は、ポリビニルアルコールがボール表面で凝集することによりインクが存在しないエリアが発生し、結果的にインクが欠損した状態で転写されるためと推測される。
【０００４】
一方、インクジェットプリンタや文具、さらには各種印刷用途に用いられる水性インク組成物として、ジグリセリルボレートなどの半極性ホウ素化合物を含有してなる水性インク組成物（例えば、特許文献３参照）が知られている。
しかしながら、この水性インク組成物は、単純な組成であっても表面張力、湿潤性、乾燥性のバランスの良い、インクジェット記録等における画像品質を向上することができる水性インク組成物を提供するものであり、本発明とは、使用目的、課題が相違するものであり、しかも、特定物性のポリビニルアルコール、並びに、特定の顔料との相乗作用等については全く記載や認識もないものである。
【先行技術文献】
【特許文献】
【０００５】
【特許文献１】特開２０１４−９５０７０号公報（特許請求の範囲、実施例等）
【特許文献２】特開２０１４−９５０７１号公報（特許請求の範囲、実施例等）
【特許文献３】特開平１０−３２４８３０号公報（特許請求の範囲、実施例等）
【発明の概要】
【発明が解決しようとする課題】
【０００６】
本発明は、上記従来技術の課題に鑑み、これを解消しようとするものであり、ポリビニルアルコール系を含む筆記具用水性インク組成物の特徴であるトメ、ハネ、ハライが明瞭である性能を高度に両立しながら、筆記描線の欠損が生じない筆記具用水性インク組成物を提供することを目的とする。
【課題を解決するための手段】
【０００７】
本発明者らは、上記従来の課題等に鑑み、鋭意研究を行った結果、ポリビニルアルコールと、ホウ酸及びその塩、若しくはジグリセリルボレートから選ばれる少なくとも１種と、２種の特定の顔料を少なくとも含むことにより、上記目的の筆記具用水性インク組成物が得られることを見出し、本発明を完成するに至ったのである。
【０００８】
すなわち、本発明は、次の（１）〜（３）に存する。
（１）  ポリビニルアルコールと、ホウ酸及びその塩、若しくはジグリセリルボレートから選ばれる少なくとも１種と、樹脂分散型顔料及び自己分散型顔料を少なくとも含むことを特徴とする筆記具用水性インク組成物。
（２）  樹脂分散型顔料／自己分散型顔料の質量比が１／２〜５／１であることを特徴とする上記（１）記載の筆記具用水性インク組成物。
（３）  上記（１）又は（２）に記載の筆記具用水性インク組成物を搭載したことを特徴とする筆記具。
【発明の効果】
【０００９】
本発明によれば、トメ、ハネ、ハライが明瞭であり、筆記描線の欠損が生じない筆記具用水性インク組成物が提供される。
【発明を実施するための形態】
【００１０】
以下に、本発明の実施形態を詳しく説明する。
本発明の筆記具用水性インク組成物は、ポリビニルアルコールと、ホウ酸及びその塩、若しくはジグリセリルボレートから選ばれる少なくとも１種と、樹脂分散型顔料及び自己分散型顔料を少なくとも含むことを特徴とするものである。
【００１１】
本発明に用いるポリビニルアルコール（以下、単に「ＰＶＡ」と略記する）は、一般式、−〔ＣＨ２−ＣＨ（ＯＨ）〕ｍ−〔ＣＨ２−ＣＨ（ＯＣＯＣＨ３〕ｎ−で表されるものであり、インクの経時安定性、粘度付与性の点から、そのケン化度｛〔ｍ／（ｍ＋ｎ）〕×１００｝は、好ましくは、５０ｍｏｌ％以上とすることが望ましく、更に好ましくは、７５ｍｏｌ％以上であることが望ましい。
また、上記ケン化度のＰＶＡにおいて、筆記感、着色性を損なうことなく、トメ、ハネ、ハライなど美しい文字感を高める点から、その重合度（ｍ＋ｎ）は、好ましくは、５０以上、更に好ましくは、１００〜３０００、特に好ましくは、２００〜２０００が望ましい。
具体的に用いることができるＰＶＡとしては、市販の日本合成化学工業社製のＡ型ゴーセノールシリーズ、Ｇ型ゴーセノールシリーズ、Ｋ型ゴーセノールシリーズ（日本合成化学工業社製の商品名）、日本酢ビ・ポバール社製のＪポバールシリーズ（日本酢ビ・ポバール社製の商品名）、クラレ社製のＫＵＲＡＲＡＹポバールＰＶＡシリーズ（クラレ社製の商品名）等が挙げられる。
これらのケン化度、重合度を有するＰＶＡは、１種単独で使用してもよく、２種以上を併用してもよい。
【００１２】
また、本発明のＰＶＡには、変性ＰＶＡ、好ましくは、上記重合度範囲、ケン化度となる変性ＰＶＡも使用することができる。用いることができる変性ＰＶＡとしては、ＰＶＡの水酸基、酢酸基をカルボキシル基、スルホン酸基、エチレンオキサイド基などの変性基に変性したもの、または、ＰＶＡの側鎖に上記の変性基を有するものが挙げられる。また、部分けん化ＰＶＡにアクリル酸とメタクリル酸メチルを共重合したＰＶＡ・アクリル酸・メタクリル酸メチル共重合体も本発明の変性ＰＶＡとして使用することができる。
具体的に用いることができる変性ＰＶＡとしては、市販の日本合成化学工業社製のゴーセネックスＬシリーズ、ゴーセネックスＷＯシリーズ（日本合成化学工業社製の商品名）、日本酢ビ・ポバール社製のアニオン変性ＰＶＡ（Ａシリーズ）（日本酢ビ・ポバール社製の商品名）、クラレ社製のエクセバール１７１３（クラレ社製の商品名）等が挙げられる。また、ＰＶＡ・アクリル酸・メタクリル酸メチル共重体としては、大同化成工業社製のＰＯＶＡＣＯＡＴ（大同化成工業社製の商品名）等が挙げられる。
これらの変性ＰＶＡは、１種単独で使用してもよく、２種以上を併用してもよい。
【００１３】
このようなＰＶＡ、変性ＰＶＡの合計含有量は、筆記具用水性インク組成物全量に対して、０．１〜１０質量％（以下、単に「％」と略記する。）、好ましくは、０．３〜７％、特に好ましくは、０．５〜５％であることが望ましい。
この含有量が０．１％未満では、粘度付与性能が充分でなく、描線の滲み耐性が低下するなどの、一方、１０％を越えると、粘度が高すぎてインクの追従性能が低下し、好ましくない。
【００１４】
本発明に用いるホウ酸及びその塩、若しくはジグリセリルボレートから選ばれる少なくとも１種は、ＰＶＡとの相互作用により、トメ、ハネ、ハライを明瞭にする点から含有するものである。
用いることができるホウ酸及びその塩としては、ホウ酸、ホウ酸のアルカリ金属塩（リチウム、ナトリウム、カリウム、ルビジウム）、ホウ酸のアンモニウム塩などが挙げられ、例えば、ホウ酸（Ｈ３ＢＯ３）、三酸化二ホウ酸（Ｂ２Ｏ３）、メタホウ酸ナトリウム（ＮａＢＯ２）、二ホウ酸ナトリウム（Ｎａ４Ｂ２Ｏ５）、四ホウ酸ナトリウム（Ｎａ２Ｂ４Ｏ７），五ホウ酸ナトリウム（ＮａＢ５Ｏ８）、六ホウ酸ナトリウム（Ｎａ２Ｂ６Ｏ１０）、八ホウ酸ナトリウム（ＮａＢ８Ｏ１３）、ホウ酸アンモニウム〔（ＮＨ４）２Ｏ・５Ｂ２Ｏ３〕、並びに、これらの水和物などが挙げられる。これらは、１種単独で使用してもよく、２種以上を併用してもよい。
好ましくは、インク成分に対する溶解性や汎用性の点から、四ホウ酸ナトリウム、ホウ酸アンモニウム、三酸化二ホウ酸の使用が望ましい。
【００１５】
また、用いるジグリセリルボレートは、分子内でプラス（＋）とマイナス（−）の極性を持つ半極性ホウ素化合物の一種で、グリセリン２分子とホウ酸１分子とから合成され下記式で示されるものである。
【化１】
0006326362.tif 000002
【００１６】
上記ホウ酸及びその塩、若しくはジグリセリルボレートから選ばれる少なくとも１種の合計含有量は、筆記具用水性インク組成物全量に対して、０．１〜５％、好ましくは、０．５〜３％とすることが望ましい。
この含有量が０．１％未満であると、ＰＶＡとの相互作用が生じないことがあり、一方、５％を超えると、インクに対して完全に溶解しない場合があり、好ましくない。
【００１７】
本発明において、色材として用いる顔料は、樹脂分散型顔料及び自己分散型顔料を使用するものである。
これらの樹脂分散型顔料及び自己分散型顔料を使用するのは、描線の欠損を生じさせずに色材としての機能を発揮せしめるためである。
本発明において、「樹脂分散型顔料」とは、分散剤（樹脂分散）によって分散可能とした顔料をいう。上記樹脂分散型顔料に用いられる樹脂（ポリマー）などの分散剤については後述する。
また、「自己分散型顔料」とは、分散剤なしに水性媒体中に分散あるいは溶解することが可能となる顔料をいい、顔料を分散させるための分散剤を用いなくても、例えば、顔料に物理的処理または化学的処理を施すことで、顔料の表面に親水基を結合（グラフト）させた顔料をいう。上記親水基としては、例えば、−ＣＯＯＭ、−ＳＯ３Ｍ、−ＳＯ２Ｍ、−ＣＯ−、−ＯＭ、−ＳＯ２ＮＨ２、−ＲＳＯ２Ｍ、−ＰＯ３ＨＭ、−ＰＯ３Ｍ２、−ＳＯ２ＮＨＣＯＲ、−ＮＨ３、及び−ＮＲ３から選択される一以上の親水基であることが好ましい。なお、これらの式中のＭは互いに独立して、水素原子、アルカリ金属、アンモニウム、置換基を有していてもよいフェニル基、又は有機アンモニウムを表す。また、これらの式中のＲは互いに独立して、炭素原子数１〜１２のアルキル基又は置換基を有していてもよいナフチル基を表す。
上記物理的処理としては、例えば、真空プラズマ処理等が挙げられ、化学的処理としては、例えば、水中で酸化剤により酸化する湿式酸化法や、ｐ−アミノ安息香酸を顔料表面に結合させることによりフェニル基を介してカルボキシル基を結合させる方法等が挙げられる。
【００１８】
用いることができる樹脂分散型顔料としては、上述の樹脂分散型顔料に含まれる顔料であれば、特に限定されず、例えば、カーボンブラック、一般的な有機顔料、酸化チタンなどの無機顔料を挙げることができる。
また、用いることができる自己分散型顔料としては、上述の自己分散型顔料に含まれる顔料であれば、特に限定されず、例えば、自己分散型カーボンブラック、自己分散型有機顔料を挙げることができる。
市販品では、オリエント化学工業（株）製のマイクロジェットシリーズ、キャボット社製のＣＡＢ−Ｏ−ＪＥＴシリーズ等が挙げられる。
これらの樹脂分散型顔料及び自己分散型顔料は、それぞれ、単独で、又は２種以上を混合して用いることができる。
【００１９】
これらの樹脂分散型顔料及び自己分散型顔料の合計含有量は、筆記具用水性インク組成物全量に対して、好ましくは、２〜１０％の範囲で、特に好ましくは、４〜８％の範囲とすることが望ましい。
この含有量が２％未満であると、色材としての機能が十分ではなく、一方、１０％を超えると、インクの安定性が損なわれることとなり、好ましくない。
本発明では、上記樹脂分散型顔料／自己分散型顔料の含有比率は、質量比で１／２〜５／１の範囲とすることが好ましく、特に好ましくは、１／１〜３／１の範囲で含有せしめることが望ましい。
この含有比率が１／２以上とすることにより、描線の欠損が生じなくなり、一方、５／１以下とすることにより、描線に滲みが生じなくなり、本発明の効果をより高度に良好とすることができるものとなる。
【００２０】
本発明の筆記具用水性インク組成物では、上記ポリビニルアルコールと、ホウ酸及びその塩、若しくはジグリセリルボレートから選ばれる少なくとも１種と、樹脂分散型顔料及び自己分散型顔料とを含有せしめ、残部として溶媒である水（水道水、精製水、蒸留水、イオン交換水、純水等）の他、更に、分散剤、並びに、筆記具用に通常用いられる各成分、例えば、水溶性有機溶剤、上記ＰＶＡ、ホウ酸及びその塩、ジグリセリルボレート以外の粘度調整剤、上記樹脂分散型顔料及び自己分散型顔料以外の色材、潤滑剤、防錆剤、防腐剤もしくは防菌剤、ｐＨ調整剤などを本発明の効果を損なわない範囲で、適宜含有することができる。
【００２１】
用いることができる分散剤としては、例えば、スチレン−（無水）マレイン酸共重合体及びその塩、スチレン−アクリル酸共重合体及びその塩、α−メチルスチレン−アクリル酸共重合体及びその塩、ポリアクリル酸ポリメタクリル酸共重合物などの少なくとも１種が挙げられる。
これらの分散剤の含有量は、樹脂分散型顔料の分散が良好にできる量であればよく、分散の対象となる顔料成分に対して、好ましくは、質量比で１０〜４０％とすることが望ましい。
【００２２】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル等のグリコールエーテル類などが挙げられ、これらは単独で或いは２種以上を混合して使用することができる。
これらの水溶性有機溶剤の含有量は、筆記具用水性インク組成物全量に対して、好ましくは、３〜３０％とすることが望ましい。
【００２３】
用いることができる粘度調整剤としては、例えば、合成高分子、セルロースからなる群から選ばれた少なくとも一種が望ましい。具体的には、メチルセルロース、エチルセルロース、ヒドロキシエチルセルロース、カルボキシメチルセルロース、デンプングリコール酸及びその塩、アルギン酸プロピレングリコールエステル、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレン−アクリル酸共重合体及びその塩などが挙げられる。
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、リン酸エステル、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。
また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等が挙げられる。
また、上記樹脂分散型顔料及び自己分散型顔料以外の色材としては、例えば、一般的な水溶性染料や活性剤分散型顔料を本発明の効果を損なわない範囲で補足的に含有することができる。
【００２４】
この筆記具用水性インク組成物を製造するには、従来から知られている方法が採用可能であり、例えば、ポリビニルアルコールと、ホウ酸及びその塩、若しくはジグリセリルボレートから選ばれる少なくとも１種と、樹脂分散型顔料及び自己分散型顔料、分散剤を少なくとも含み、水性における各成分などを所定量配合し、ホモミキサー、もしくはディスパー等の攪拌機により攪拌混合することによって得られる。更に必要に応じて、ろ過や遠心分離によってインク組成物中の粗大粒子を除去してもよく、また、脱泡、加熱、冷却しながら作製してもよいものである。
【００２５】
本発明の筆記具用水性インク組成物は、マーキングペン、サインペン、ボールペンなど各種筆記具に搭載でき、ボールペンでは、金属チップ、樹脂チップなどのペン先部を備えたボールペンに搭載して使用に供することができる。
用いることができるボールペンは、上記組成となる筆記具用水性インク組成物を搭載したものであり、好ましくは、金属ボール等を回転自在に抱持したボールペンチップを直接又は中継部材を介して挿着したパイプ又はパイプ形状の成形物等からなるインク収容管内に上記特性のインク組成物を充填し、かつ、該インク組成物後端面にインク追従体を配設してなる構成となるものが望ましい。インク追従体としては、インク収容管内に収容された筆記具用水性インク組成物とは相溶性がなく、かつ、該水性ボールペン用インク組成物に対して比重が小さい物質、例えば、ポリブテン、シリコーンオイル、鉱油等が挙げられる。
なお、ボールペンの構造は、特に限定されず、例えば、軸筒自体をインク収容体として該軸筒内に上記構成の筆記具用水性インク組成物を充填したコレクター構造（インキ保持機構）を備えた直液式のボールペンであってもよいものである。
【００２６】
このように構成される本発明の筆記具用水性インク組成物が、何故、トメ、ハネ、ハライが明瞭で、筆記描線の欠損が生じないという機能を発現するのかは下記のように推測することができる。
すなわち、本発明の筆記具用水性インク組成物では、ポリビニルアルコールと、ホウ酸及びその塩、若しくはジグリセリルボレートから選ばれる少なくとも１種と、樹脂分散型顔料及び自己分散型顔料を少なくとも含むことにより、トメ、ハネ、ハライ部分での筆記速度や筆記圧が変動する範囲において、好適なインク流動特性を発現すると共に、インクが紙面に拡散しやすくなるため、筆記描線の欠損が生じないものと推測される。
本発明の筆記具用水性インク組成物は、本発明の効果を発揮せしめる持続効果が極めて優れており、しかも、その効果の発現期間・持続時間も長く、更に水溶性であるために経時的な安定性にも優れたものとなる。
【実施例】
【００２７】
次に、実施例及び比較例により本発明を更に詳細に説明するが、本発明は下記実施例等に限定されるものではない。
【００２８】
〔実施例１〜９及び比較例１〜４〕
下記表１に示す配合処方にしたがって、常法により各筆記具用水性インク組成物を調製した。
得られた各筆記具用水性インク組成物（全量１００質量％）について、下記方法により筆記具として水性ボールペンを作製し、下記各評価方法により、トメ、ハネ、ハライ、初筆性能及び描線の滲みとカスレ、描線の欠損について評価した。
下記表１に実施例１〜９及び比較例１〜４の配合処方とその各評価結果を示す。
【００２９】
（筆記具：水性ボールペンの作製）
ボールペン〔三菱鉛筆株式会社製、商品名：シグノＵＭ−１００〕の軸を使用し、内径４．０ｍｍ、長さ１１３ｍｍのポリプロピレン製インク収容管とステンレス製チップ（超硬合金ボール、ボール径０．７ｍｍ）及び該収容管と該チップを連結する継手からなるリフィールに上記各インクを充填し、インク後端にポリブテンからなるインク追従体を装填し、水性ボールペンを作製した。
【００３０】
（トメの評価方法）
上記で作製した各水性ボールペンを用いて筆記試験用紙にフリーハンドで「永」の字を筆記し、１画目の点の滲み、ボテの状態を目視で、下記評価基準で評価した。
評価基準：
○：滲み、ボテがほとんどなし。
△：滲み、またはボテが若干ある。
×：滲みやボテがひどく、描線が醜い。
【００３１】
（ハネの評価方法）
上記で作製した各水性ボールペンを用いて筆記試験用紙にフリーハンドで「永」の字を筆記し、２画目の終筆部のハネの状態を目視で、下記評価基準で評価した。
評価基準：
○：終筆部の描線が非常に細く、カスレもなく、きれいな描線が表現できている。
△：描線が多少カスレており、描線濃度がうすい。
×：描線が酷くカスレており、描線が醜い。
【００３２】
（ハライの評価方法）
上記で作製した各水性ボールペンを用いて筆記試験用紙にフリーハンドで「永」の字を筆記し、５画目の品位を目視で、下記評価基準で評価した。
評価基準：
○：描線の割れが全くなく、きれいな描線が表現できている。
△：描線の割れが多少あり、描線濃度がうすい。
×：描線の割れがあり、描線が醜い。
【００３３】
（初筆性能の評価方法）
上記で作製した各水性ボールペンを用いて筆記試験用紙にフリーハンドで「永」の字を筆記し、１画目の点のインク出性能の状態を目視で、下記評価基準で評価した。
評価基準：
○：カスレがほとんどなく、きれいに点がうてる。
△：カスレが若干あり、描線がうすい。
×：カスレがひどく、点がほとんど判読できない。
【００３４】
（描線の滲みとカスレの評価方法）
上記で作製した各水性ボールペンを用いて筆記試験用紙にフリーハンドで「永」の字を筆記し、２画目の終筆部のハネの状態を目視で、下記評価基準で評価した。
評価基準：
○：終筆部の描線が非常に細く、カスレも滲みもなく、きれいな描線が表現できている。
△：描線が多少カスレており、描線濃度がうすい。もしくは、若干の滲みが認められる。
×：描線が酷くカスレている若しくは滲みが大きく、描線が醜い。
【００３５】
（描線の欠損の評価方法）
上記で作製した各水性ボールペンを用いて筆記試験用紙にフリーハンドで直径約５ｃｍの円を５秒間で１０個螺旋筆記し、描線の欠損状態を下記の基準で評価した。
評価基準：
○：欠損箇所がない。
△：欠損が１〜３箇所。
×：欠損が４箇所以上。
【００３６】
【表１】
0006326362.tif 000003
【００３７】
上記表１中の＊１〜＊９は下記のとおりである。
＊１：カーボンブラックＭＡ−１００（三菱化学社製）
＊２：ＣＡＢ−Ｏ−ＪＥＴ  Ｒ２００（キャボットジャパン社製）有効成分量２０％
＊３：ＪＯＮＣＲＹＬ  ６１Ｊ（スチレン−アクリル系の分散剤、ＢＡＳＦ  ＪＡＰＡＮ社製）有効成分量３０％
＊４：ＳＭＡ−１４４０Ｈ（スチレン−無水マレイン酸系の分散剤、川原油化社製）有効成分量３４％
＊５：Ｊポバール  ＪＦ−０５（日本酢ビ・ポバール社製）、ケン化度９８〜９９ｍｏｌ％、重合度５００
＊６：Ｋ型ゴーセノール  ＫＨ−１７（日本合成化学工業社製）、ケン化度７８．５〜８１．５ｍｏｌ％、重合度１７００
＊７：Ｌ型ゴーセネックス  Ｌ−３２６６（日本合成化学工業社製）、ケン化度８６．５〜８９．０ｍｏｌ％、重合度３００
＊８：リン酸エステル  ＲＳ−６１０（東邦化学工業社製）
＊９：ベストサイド６００（日本曹達社製）
【００３８】
上記表１を考察すると、本発明範囲となる実施例１〜９は、トメ、ハネ、ハライが明瞭であり、初筆性能及び描線の滲みやカスレもなく、しかも、筆記描線の欠損も生じない筆記具用水性インク組成物となることが判った。
これに対して、本発明の範囲外となる比較例１〜４では、本発明の効果を発揮できないことが判る。比較例１及び３では、樹脂分散型顔料単独含有の場合であり、比較例２及び４では、自己分散型顔料単独含有の場合であり、これらの場合は樹脂分散型顔料及び自己分散型顔料の併用の本発明の実施例１〜９に較べ、描線の欠損が生じたり、または、描線の滲みやカスレが生じることとなり、本発明の効果を発揮できないものであった。
【産業上の利用可能性】
【００３９】
水性のボールペンなどに好適な筆記具用水性インク組成物が得られる。